Podtech/llm-jp-corpus-v4-ja_patent huggingface dataset:
(57)【要約】【課題】人体から医療用針が抜け掛けたときであっても危険を検出し、重大な医療事故を防止する方法。【解決手段】薬剤又は血液注入返血部の監視機能として磁気検出センサーを使用し、穿刺部位の人体１側にマグネット９を埋め込んだセンサーホルダ６を医療用テープ３などで固定し、針４側の針とチューブの接続部５に磁気検出部８を用いたセンサー本体１１をチューブクリップ７で固定する。このとき、磁気検出部８はマグネット９による磁界を検出しＯＮを出力する。人体に刺さった針４が外的要因等により抜けかけたとき、針側に取り付けたセンサー本体１１内の磁気検出部８がセンサーホルダ６内のマグネット９による磁界を検出しなくなりOFFを出力することで、必要な安全機構を作動させる。【選択図】図１
2010201096.tif 000002
【特許請求の範囲】
【請求項１】
医療用の針が人体から抜けかけたことを磁気検出センサーにより検出し、安全機構を作動させる、磁気検出センサーを用いる方法。
【発明の詳細な説明】
【技術分野】
【０００１】
本発明は、薬剤又は血液注入返血用の針が抜けた場合の事故防止対策に関する。
【背景技術】
【０００２】
現在、針抜けを確実に監視する対策は実用化されていませんが、人工透析装置では返血圧の下限警報幅を狭く設定し、返血側の針が人体から抜けたときに発生する返血圧の低下を監視する方法があります。
【０００３】
又、血液などの液体が漏れたときに、下に敷いた漏水センサーが漏れを検知する方法や、針自体に電気回路を組み込んで監視する方法がある。
【先行技術文献】
【特許文献】
【０００４】
【特許文献１】特開２００７−１０７９４４号公報
【特許文献２】特開２０００−１４００９２号公報
【特許文献３】特開  平０８−１９１８９２号公報
【特許文献４】特開２００８−０００２１９号公報
【特許文献５】特開２００７−１７８１８８号公報
【特許文献６】特開２００７−１７８１８７号公報
【特許文献７】特開２００７−１４３８９５号公報
【特許文献８】特開２００６−０５５５８８号公報
【特許文献９】特開２０００−１４０１０１号公報
【特許文献１０】特開２００７−０２０８０１号公報
【特許文献１１】特開２００６−１１０１２０号公報
【特許文献１２】特開２００６−１１０１１８号公報
【特許文献１３】実開第３１４３１９０号公報
【特許文献１４】実開平０７−０３４８４３号公報
【発明の概要】
【発明が解決しようとする課題】
【０００５】
上述した返血圧監視による方法は、針抜けの監視ではないため、ときより針が抜けても返血圧の変動がなく警報を発しない状況もあり、確実に針抜けを検知する方法とは言えない。又、その他の方法は感電の可能性、コストの問題など、実用性に問題がある。
【０００６】
現在、人工透析治療や点滴中に、認知症患者が自ら針を抜いてしまう、又は、患者が睡眠中の寝返り時に針が抜けてしまうなど、針抜けによる医療事故は各施設において発生している問題であり、医療スタッフの監視以外にも技術的に実用的で敏速に検知することができる対策方法が必要である。
【課題を解決するための手段】
【０００７】
事故発生時に敏速に送液ポンプの停止および、電磁バルブ式チューブクランプを閉めるなどの安全機構を働かせる方法として、マグネット近接センサーを用い、センサー部を漏電の無いように樹脂等で密閉し、針およびチューブ部に取り付ける。針およびチューブが人体から離れると、マグネットがセンサーの磁気検出部から離れ、針が抜けたことを検出する。
【発明の効果】
【０００８】
本発明により、針が抜け掛けたときであっても危険を検知することが可能となり、従来の方法よりも医療スタッフが患者の針が抜けていることに気づかず、重大な医療事故を防止することができると考える。
【図面の簡単な説明】
【０００９】
【図１】図１は針抜け警報センサーの取り付け方法の例を示した説明図である。
【図２】図２は針抜け警報センサーの取り付け方法の例での警報発生状態を示した説明図である。
【発明を実施するための形態】
【００１０】
本発明の実施形態の例について図面を参照して説明する。図１は人工透析治療にて一般的に行われている返血部位を示し、ここに本発明であるマグネットセンサーの取り付け方法の例を示します。マグネットセンサーはセンサーホルダ６および、チューブクリップ７と、センサーケーブル１２が一体化した、センサー本体１１の２つのパーツで構成されます。センサー本体１１の内部には磁気検出部８が先端に取り付けられ、絶縁化のため周囲を樹脂等により密閉します。センサーホルダ６にはマグネット９を埋め込み、センサー本体１１の先端を挿入する穴が開いています。
【００１１】
通常、人工透析治療での穿刺部位は、腕の内シャントを使用し、図１に示すように、針４の穿刺部をガーゼ２で保護し、テープ３で止めますが、このときにセンサーホルダ６を共にテープ３で固定します。針とチューブの接続部５は直接皮膚に触れないように下にガーゼ２aを敷き、上からテープ３aで止めます。このとき、センサー本体１１の先端をセンサーホルダ６に差し込み、チューブクリップ７をチューブに取り付けて、テープ３aで共に固定します。
【実施例】
【００１２】
図１のマグネットセンサーＯＮ状態Ａは、センサーホルダ６にセンサー本体１１を差し込むことによって、磁気検出部８がマグネット９の磁力によってＯＮとなります。次に図２のように、穿刺した針４が外的要因によって矢印１０の方向に移動した場合、チューブクリップ７が針とチューブの接続部５に固定されているため、マグネットセンサーＯＦＦ状態Ｂのように、センサー本体１１の磁気検出部８は、センサーホルダ６内部のマグネット９の磁界から遠ざかり、ＯＦＦとなります。この磁気検出部８がＯＦＦとなったときに、送液ポンプの停止および、電磁バルブ式チューブクランプを閉めるなどの安全装置を作動させます。
【符号の説明】
【００１３】
１    人体（腕）
２    ガーゼ
３    テープ
４    針
５    針とチューブの接続部
６    センサーホルダ
７    チューブクリップ
８    磁気検出部
９    マグネット
１０  矢印
１１  センサー本体
１２  センサーケーブル
Ａ    マグネットセンサーＯＮ状態
Ｂ    マグネットセンサーＯＦＦ状態
【図１】
2010201096.tif 000003
【図２】
2010201096.tif 000004
(57)【要約】      （修正有）【課題】家庭から出る汚れや歯の汚れしみを取る綿棒を提供する。【解決手段】メラミンフォーム（スポンジ）を採用することにより、汚れやしみ特に歯に付いた、やに、紅茶、コーヒー、等によるしみを取ることが出来る。【選択図】図１
2010201147.tif 000002
【特許請求の範囲】
【請求項１】
棒の先端にメラミンフォーム（スポンジ）を接着したもの。
【請求項２】
棒の末端にメラミンフォーム（スポンジ）を接着したもの。
【請求項３】
棒の先端や末端にメラミンフォーム（スポンジ）を接着したもの。
【発明の詳細な説明】
【技術分野】
【０００１】  本発明は、落としづらい汚れや、しみを綿棒より取りやすくするものである。【０００２】  従来の綿棒とは違い光沢のあるものには適さないがステンレスや金物などの汚れに対応する。【０００３】  歯に付いた、やに、紅茶、コーヒー、お茶、のしみを取る。
【発明の開示】
【発明が解決しようとする課題】  家庭から出る汚れや歯の汚れしみを取ること。
【課題を解決するための手段】
【０００４】  綿棒状の本品はメラミンフォームを濡らし、こすり付けることで汚れを取ることが出来る。
【発明の実施するための最良の形態】
棒にメラニンフォームを接着する。
水に濡らし、絞った後、使用する。
【図１】
2010201147.tif 000003
【手続補正書】
【提出日】平成21年6月10日(2009.6.10)
【手続補正１】
【補正対象書類名】明細書
【補正対象項目名】全文
【補正方法】変更
【補正の内容】
【発明の詳細な説明】
【０００１】本発明は、落としづらい汚れや、しみを綿棒よりも取りやすくするものである。
【０００２】従来の綿棒とは違い光沢のあるものには、適さないがステンレスや金物などの汚れに対応する。
【０００３】歯に付いた、紅茶、コーヒー、お茶、やに、のしみを取る。
【発明の開示】
【発明が解決しようとする課題】家庭から出る汚れや、歯の汚れしみを取ること。
【課題を解決するための手段】
【０００４】綿棒状の本品はメラミンフォームを濡らし、こすり付けることで汚れを取ることが出来る。
【発明を実施するための最良の形態】棒にメラミンフォームを接着する。
水に濡らし、絞った後、使用する。
【図面の簡単な説明】
【０００５】
【図１】プラスチック・木製の棒に、メラミンフォームを先端に接着する。
【０００６】
【図２】プラスチック・木製の棒に、メラミンフォームを末端に接着する。
【０００７】
【図３】プラスチック・木製の棒に、メラミンフォームを両側に接着する。また、棒の形状は、円柱、メラミンフォームは、丸い型をしている。衛生的に汚れた側に触らないように片側を使用後、紙などで、包んで片側を使用する。
【手続補正２】
【補正対象書類名】図面
【補正対象項目名】全図
【補正方法】変更
【補正の内容】
【図１】
2010201147.tif 000004
【図２】
2010201147.tif 000005
【図３】
2010201147.tif 000006
(57)【要約】【課題】  室内は物干し具、物干し場所も少ないためにカ−テンレ−ルに衣類などをハンガ−に掛け干していたがカ−テン、窓の開閉が困難で不自由であつた。また、衣類が乾き取り込み後、物干し具、物干し竿を収納しなくては室内の雰囲気が悪く見苦しかった。物干し具、物干し竿を収納しなくて良い。格納できる物干し具を提供する。【解決手段】  中空柱の下部に軸受孔を設け、上部に傾斜係止部を設ける。上端に竿取付部を設けた支柱を中空柱に挿着する。ブラケツトに係止壁を設け、孔を設け、軸受孔を設け、軸受孔に支持軸を横設する。支柱の竿取付部に物干し竿を設けたことを特徴とする物干し竿を格納できる室内物干し具。【選択図】図４
2010201145.tif 000002
【特許請求の範囲】
【請求項１】
中空柱の下部に軸受孔を設け、支柱の上端に竿取付部を設け、ブラケツトに係止壁を設け、孔、軸受孔を設け、支持軸を設けたことを特徴とする物干し竿を格納できる室内物干し具。
【請求項２】
中空柱の上部に係止部を設け、支柱の下部に係止片を設けた請求項１の物干し竿を格納できる室内物干し具。
【請求項３】
竿取付部を設けた支柱を、竿取付部を設けた中空柱にした請求項１又は請求項２の物干し竿を格納できる室内物干し具。
【発明の詳細な説明】
【技術分野】
【０００１】  本発明は室内で衣類などを干す場合、カ−テンレ−ル、ブラケツト上に載置、格納された物干し竿を少し持上げ、手前に引き出し下げて使用する。使用後はカ−テンレ−ル、ブラケツト上に、また載置、格納する。物干し竿を格納できる室内物干し具に関するものである。
【背景技術】
【０００２】  従来、カ−テンレ−ル、部屋の角、鴨居などを利用した物干し具はあつた。
【先行技術文献１】
【先行技術文献２】
【発明の概要】
【発明が解決しようとする課題】
【０００３】  そのために次のような欠点があった。
（イ）  ハンガ−を用いて衣類などをカ−テンレ−ルに掛け干していたがハンガ−を持ち上げなければカ−テンの開閉が困難であつた。窓の開閉も不自由であつた。
（ロ）  洗濯物が乾き取り込んだ後、物干し竿を収納しなければ部屋の雰囲気が悪く見苦しかつた。また、物干し具、物干し竿の収納は大変面倒で不便であつた。
（ハ）  室内は物干し場所、物干し具も少なく、新しい物干し具が要求されていた。
本発明は、以上のような欠点をなくすためになされたものである。
【課題を解決するための手段】
【０００４】  中空柱の上部に係止部を設け、下部に軸受孔を設ける、物干し竿取付部を上端に設けた支柱を中空柱に挿設する。ブラケツトに係止壁を設け、孔を設け、軸受孔を設け、支持軸を軸受孔に横設する。
本発明は、以上の構成よりなる、物干し竿を格納できる物干し具である。
【発明の効果】
【０００５】  常時、カ−テンレ−ル、ブラケツト上に物干し竿を載置、格納してあるので物干し竿をいちいちセツトしなくて良い。使用するときは物干し竿を少し持ち上げ手前に引き下げ使用する。使用後は物干し竿をカ−テンレ−ル、ブラケツト上に、また押し込み載置、格納するので物干し具、物干し竿も収納しなくてよい。窓、カ−テンの開閉も自由にできる。
【図面の簡単な説明】
【０００６】
【図１】  本発明の分解斜視図
【図２】  本発明に物干し竿を設けた斜視図
【図３】  本発明の断面図及び使用図
【図４】  本発明の使用状態を示す斜視図
【発明を実施するための形態】
【０００７】  以下、本発明を実施するための形態について説明する。
（イ）  中空柱（１）の上部に傾斜係止部（２）を設け、下部に軸受孔（３）を設ける。
（ロ）  支柱（９）の上端に物干し竿取付部（８）を設け、下部に係止片（１０）を設ける。
（ハ）  本案ブラケツト（４）の背面壁に窓枠（１２）、又は柱に固設する孔（５）を設け正面壁に係止壁（７）を設ける。左右側壁に軸受孔（３）を設け、中空柱（１）が回動するように支持軸（６）を軸受孔（３）に横設する。
（ニ）  支柱（９）の竿取付部（８）に物干し竿（１１）を設ける。
本発明は、以上のような構造である。
本発明を使用するときは、
左右の窓枠（１２）、又は柱にブラケツト（４）の孔（５）にネジで本案（１７）を固設する。中空柱（１）に竿取付部（８）を設けた支柱（９）を挿着し、物干し竿（１１）を竿取付部（８）に横設し、カ−テンレール、ブラケツト（１３）上に載置、格納して置く。洗濯物を干す場合、物干し竿（１１）を少し持ち上げ手前に引き出し、下げると係止壁（７）で係止する。屋外の物干し具と同様に衣類（１６）を直接掛ける事もハンガ−を用いることもできる。洗濯物が乾き取り込んだ後は物干し竿（１１）を、また少し持ち上げ後方に押し込み載置、格納する。未使用時は物干し竿、本案ともにカ−テンに隠れて見えないので室内の雰囲気を壊すことは無い。
【符号の説明】
【０００８】  １    中空柱
２    係止部
３    軸受孔
４    本案ブラケツト
５    孔
６    支持軸
７    係止壁
８    竿取付部
９    支柱
１０    係止片
１１    物干し竿
１２    窓枠、柱
１３    カ−テンレ−ル、ブラケツト
１４    カ−テンレ−ル
１５    カ−テン
１６    衣類
１７    本案の物干し具
【図１】
2010201145.tif 000003
【図２】
2010201145.tif 000004
【図３】
2010201145.tif 000005
【図４】
2010201145.tif 000006
(57)【要約】【課題】  洗濯ばさみにハンガーを固定する部分を設けることによって、物干し竿に吊るした、ハンガーが強風で、飛ばされることがなくなる、洗濯ばさみを提供する。【解決手段】  物干し竿に、吊るしたハンガーが、強風で、飛ばされることがなくなることを、特徴とする。【選択図】図２
2010201144.tif 000002
【特許請求の範囲】
【請求項１】
洗濯ばさみに、ハンガーを固定する部分を設けることによって、物干し竿に吊るしたハンガーが、強風で飛ばされたりすることがなくなる、洗濯ばさみである。
【発明の詳細な説明】
【０００１】  この発明は、洗濯ばさみに、ハンガーを固定する部分を設けることによって、物干し竿に吊るした、ハンガーを強風で、飛ばないようにしたものである。
【背景技術】
【０００２】  従来、洗濯ばさみは、洗濯ものを挟むためのものであった。
【発明が解決しようとする課題】
【０００３】  洗濯ものといっしょにシャツなどをハンガーにかけて、物干し竿に吊るすと、たまに、強風で、ハンガーが飛んだりして、せっかく洗ったシャツなどが、台無しになることがある。本発明は、以上のようなことをなくすために、作ったものである。
【０００４】  洗濯ばさみに、ハンガーを固定する部分を設ける本発明は、以上の構成よりなる、洗濯ばさみである。
【発明の効果】
【０００５】  洗濯ばさみにハンガーを固定する部分を設けることにより、物干し竿に吊るしたハンガーが、強風で、飛ばされたりすることがなくなる。
【発明を実施するための最良の形態】
【０００６】  以下、本発明を実施するための形態について説明する。
洗濯ばさみにハンガーを固定する部分を設けることにより、物干し竿に吊るしたハンガーが、強風で、飛ばされたりすることがなくなる。
【図面の簡単な説明】
【０００７】
【図１】本発明の前から見た図である。
【図２】本発明の横から見た図である。
【図３】本発明の上から見た図である。
【図４】本発明の断面図である。
【符号の説明】
【０００８】  １  洗濯ばさみ
２  ハンガーを固定する部分
【図１】
2010201144.tif 000003
【図２】
2010201144.tif 000004
【図３】
2010201144.tif 000005
【図４】
2010201144.tif 000006
(57)【要約】【課題】自分をアッピールするためのアクセサリー【解決手段】彫金、宝石などで装飾されたバンドで額を中心に顔面上部全週に渡って装着する事で３６０度どこからでも見える【選択図】図５
2010201141.tif 000002
【特許請求の範囲】
【請求項１】
顔のひたい及び頭側部から後頭部へ回る宝石、貴金属、真珠、彫金等で装飾されたＯリング状のバンド
【請求項２】
請求項１のバンドで額の中央部分の宝飾品を吊り下げるステー
【請求項３】
請求項１のバンドの長さを調節できるチャック機構
【発明の詳細な説明】
【技術分野】
【０００１】本発明は人間の美しく見られたい、あるいは目立ちたいと言う願いを補完するための器具である
【背景技術】
【０００２】従来から人間の上半身を飾る装身具として頭部を飾るティアラ、王冠、耳を飾るイヤリング、胸元を飾るネックレスは使用されてきた。
【発明の開示】
【発明が解決しようとする課題】
【０００３】しかし個人を識別する顔の中でも目立つ部分である額とその周りを飾る装身具はなかった。
【課題を解決するための手段】
【０００４】この課題を解決するための請求項１及び請求項２の発明は彫金及び宝石等で装飾されたＯリング状のバンドを額を回る外周にはめた
【発明の効果】
【０００５】本発明により従来の頭部、耳、胸元に追加して額、頭側部、及び後頭部にも装飾をかざれ、より自分をアピールできる。
【発明を実施するための最良の形態】
【０００６】額から頭部を一周する装飾されたバンドであるが、特にひたい中央にはステーをつけて宝石等をぶら下げ、それが動くことによりより輝きがます
【産業上の利用可能性】
【０００７】本発明に係る装飾品は従来のアクセサリーとはまったく異なる製品のため人々の目立ちたいという欲望を十分に満足させうる
【図面の簡単な説明】
【０００８】
【図１】正面図である
【図２】背面図である
【図３】右側面図である
【図４】左側面図である
【図５】平面図である
【図６】底面図である
【符号の説明】
【０００９】１    前飾り
２    バンド
３    ステー
４    チャック
５    後飾り
１はメインアクセサリーで注文に応じ各種デザインの物をつける
２はこの装飾品の本体で注文により貴金属、象牙等による彫刻、宝石で飾る
３はメインアクセサリーを吊り下げる支柱で宝石を動かす事により輝きを増す
４は髪型の変更を考慮しバンドの長さを多少調節できるための機構
５は注文があれば各種デザインのアクセサリーを付ける
【図１】
2010201141.tif 000003
【図２】
2010201141.tif 000004
【図３】
2010201141.tif 000005
【図４】
2010201141.tif 000006
【図５】
2010201141.tif 000007
【図６】
2010201141.tif 000008
【手続補正書】
【提出日】平成21年4月24日(2009.4.24)
【手続補正１】
【補正対象書類名】図面
【補正対象項目名】図２
【補正方法】変更
【補正の内容】
【図２】
2010201141.tif 000009
(57)【要約】【課題】  二足歩行の人間にとって生活、健康上、靴は大変重要な生活必需品である、その為その種類や用途も多岐に渡り、それぞれに良さがあり、物足りない面も持つそこで軽やかに、弾む様な、又、自然に運動量も増加し、強力な血行促進が図られる靴が無いか課題として研究を進めた。【解決手段】そこで軽やかさ、ふんわり感を持たす為靴底に低反発ウレタンをサンドイッチ状になる様三層構造を持たせ又、跳躍力を持たせる為強力磁石を同極接近による反発力を利用し靴底適所にウレタンを挟んで対峙装着した、又、つま先のキック力を増加させる様に配置した磁石が足の心臓と言われる湧泉のツボに当たるので足裏全体からも血行促進効果をも生み出した。【選択図】図２
2010201143.tif 000002
【特許請求の範囲】
【請求項１】
運動靴等の底部を三層に分け一層目上部低部に強力なフェライト磁石を適所に埋め込み、二層目中間部に形状を持たせた低反発ウレタンを挟み込み三層目下部上部に同磁石が反発力（跳躍力）を、持たせる為に同極対峙となる様に配置した靴。
【発明の詳細な説明】
【技術分野】
【０００１】  本発明は、ウォーキングやジョギング時に、通常その行為での消費エネルギーをより高める様に、又、より快適に、自然に歩幅が伸び、又、弾む様な跳躍性を備え、歩く行為以外にも、足裏全体からのより強力な血行促進を可能にし、靴底ゴム部を三層構造にし、中間部に低反発ウレタン、ゴム底上部と下部にそれぞれ反発し合う様同極対峙する様フェライト磁石をゴム内に埋め込んだ運動靴に関する
【背景技術】
【０００２】  従来からの運動靴は、歩きやすさ、疲れにくさを求める為より軽く、よりクッション性を良くしたり、靴内部のインソールの形状を変えたりした物があり、又、弾力性を生む物として空圧を利用したり、スプリングその物を組み込んだりして跳躍性を持たせたり、又、健康促進用としては足の心臓と言われるツボで言う所の湧泉を刺激する様な構造や磁石を用いたり、あるいはより足の筋力を使いバランス感覚を養う為靴底に空気道で繋がっている上下２個のボール状のゴム底にした靴など又、歩行時により足に負荷をかける為のつま先高の靴など多種、多様、多岐に渡る。
【発明が解決しようとする課題】
【０００３】  又、それらはそれぞれそれなりの長所を有しているが、軽やかに、弾む様な弾力性を持ち、自然に歩幅が伸び運動エネルギーが知らずして増加し、同時に足裏全体からも血行促進を図るという面に関して言えば課題も十分残る。
【課題を解決する為の手段】
【０００４】  そこで軽やか感としてのクッション性を持たせる為低反発ウレタンを挟み込む為靴底を三層にし、底上部、ウレタン部、底下部の構造にし、跳ねる様な跳躍性、浮遊性を持たせる為強力磁石の同極対峙の構造を持たせた、又、ウレタン、インソールの形状をヒールアップにして前屈姿勢を促しかかとからの跳躍性が加わり、自然と早足に、又、歩幅も広がり運動量の増加をもたらし、足裏中間部、湧泉のツボ付近に適度な磁気量を持つフェライト磁石を上下に配する足裏全体からの血行促進作用と、歩行時におけるつま先の着地後のキック力を、その反発力にて増加させる効果も生まれた。
【発明の効果】
【０００５】  本発明の構造特性により歩行やジョギングが軽やかに、弾むような感触を有するので、誰でもが、特に筋力の衰えた高齢者でも楽しく楽々行えるので１０分が２０分、２０分が３０分と運動時間も多くなり又、先述した様に消費エネルギーの増加と強力な血行促進を生み出す為身体の新陳代謝も活発になり食事も美味しく食べられ、より健康生活を謳歌出来る。
【発明の実施する為の最良の形態】
【０００６】三層を作り出す為同種のゴム底運動靴を複数用意して一方の靴底だけ分離してウレタンを挟む部分のゴム部を平らになる様に削って上部、下部ゴム底部に同形の大きさ厚さとなるよう磁石穴を作りはめ込んだ、又、完全固定となる様接着剤も使用し、ウレタンサンド後に柔軟性を持つ帯状生ゴム
2010201143.tif 000003
のウレタンだけ挟んで歩いてみた所、ふんわり感はあるものの跳躍感は出ない、そこで１センチ径、０．３ミリ厚の１，０００ガウスのフェライト磁石をかかとに正方形に４つ上下、中間部に２つ上下、配して試してみたがほとんど変わらないばかりか磁石の径が小さいとちょっとした弾みでＳＮ極が向き合ってくっついてしまい意味が無くなってしまう、そこで磁石の径を大きくより強力にしてゴム内に埋め込み接着剤にて固定して試してみた。
【０００７】  ３センチ径、０．４ミリ厚をかかと上下に２，０００ガウス、３，０００ガウスと試してみた所、２，０００ガウスにて微妙な浮遊感を感知し、３，０００ガウスにて明らかな反発力、跳躍感を感じた、又、つま先部中心に同極対峙となる様磁石を配すと歩行力学上その反発力にて着地時のスピードを減じキック力を損なうので、少し後方へずらしくぼみのある中間部に配する事で着地後のキック力を増加させる効果が出た。その結果足の心臓と言われる湧泉のツボを刺激し足裏全体からの血行促進効果に繋がり、又、ウレタン、インソールの形状をヒールアップ状にする事で前屈姿勢を作り出し跳躍力と弾力性が加わり、自然と歩幅が広がり早足となり、運動エネルギーが知らずして増加する効果をもたらした。
【図面の簡単な説明】
【０００８】
【図１】  本発明の側面図
【図２】  同靴底三層部の断面図
【符号の説明】
【０００９】１  運動靴    ２  低反発ウレタン    ３  ゴム底上部  ４  同下部
５  磁石（３０００ガウス）    ６  同（１０００ガウス）
【図１】
2010201143.tif 000004
【図２】
2010201143.tif 000005
(57)【要約】【課題】  現代社会において、高層建築物が増加の一途を辿る昨今、火災・震災等が発生した緊急時、どうしても上層階の人々が危機に晒され犠牲になってしまう。そこで、昔、洋画ミュージカルにあったメリーポピンズの様に傘の柄を持って、ビルの屋上からふわりふわりと落ちてこられないかを課題として研究を進めた。【解決手段】  そこで落下空圧で傘が逆にならない様、丈夫な筒ケースを肩から背負い、傘地外周をロープで筒ケースに繋ぎ、又、瞬間的に開いて簡単に収納出来る様ケース内部を伸縮ゴム筒方式にし、又、ゴム地が直ぐ開く様円形ゴム地の中心点から八方に空気道を付け、傘の骨部の役割を担う為ゴム筒上部に均等に８本の半硬質チューブ管を付ける事で、瞬時に開傘・閉傘式の緊急災害時の必需品として高所飛び降り用としての筒型・肩掛・簡易パラシュートを提供する。【選択図】図１
2010201127.tif 000002
【特許請求の範囲】
【請求項１】
筒型ショルダー内部に伸縮ゴム筒を内蔵し、瞬時に開いて簡単に収納する事を可能にした簡易式落下傘。
【発明の詳細な説明】
【技術分野】
【０００１】  本発明は、火災時の緊急時に高層建物から人が地上に飛び降りる際、本傘を開いて落下する時、パラシュート効果にて無事着地が出来る様考案された、直ぐに開いて簡単に収納出来る様に考案された肩掛式筒形簡易落下傘に関する。
【背景技術】
【０００２】  従来のパラシュートの場合、地上１０００ｍ超からの降下用として構成されている為、開ききるのに時間が掛かり、地上２０ｍ〜３０ｍ程度からの降下には役に立たないし、装着や収納にも手間が掛かり、キャノピーも拡がりすぎて火に包まれ意味が無い。又、雨傘や日傘等では半球形の形状が逆になり傘の骨も壊れてしまい同様である。そこで、肩掛けケース内部に蛇腹スプリング式の伸縮ゴム筒を利用して、簡単に開閉が出来、しかもパラシュートの様に確実に半球形を構成出来る人体落下用傘が出来ないか研究を続けた。
【特許文献１】  特開２００８−１９５３６９
【発明が解決しようとする課題】
【０００３】  成人の平均体重は６０ｋｇ〜７０ｋｇとして、僅かな降下時間で空気抵抗を利用し落下速度を激減させる為には、降下前、空気注入が完了した段階で、重量物の中心を基点とした適正な半球形を構成しなくてはならない。そこで、正絹やナイロンで作るキャノピーを防水地にてパラシュート程直径が無くても、やはり２ｍ３位は必要なので、生地を３ｍ程の円形に裁断して試してみたが、うまく開かないし生地も垂れ下がってしまう。そこで、空気が注入出来る薄型ゴム地に空気を入れたら、ゴムの性質上浅い球形を構成してしまい、又、筒ケースのロープで繋がれている為、三角帽子の様な形状になってしまった。
【課題を解決する為の手段】
【０００４】  そこで、ゴム生地を１枚地基材として米字型に空気道をつけて、そこだけ空気注入出来る様に加工した。又、外周部はロープで結ぶ為、厚地にしてロープ穴を設けた。又、三角帽子型を防ぐ為、通常傘でいう所の骨としてケース内部１段目ゴム筒上部に８本のＲ型にカーブする程度の半硬質チューブ管を取り付けゴム地に結びつけた。その結果、空気注入時に適正な半球形を構成することが出来た。
【発明の効果】
【０００５】  本発明の構造上、コンプレッサーがあれば瞬時に傘が開くし、又、市販の空気入れでも１分〜２分で開く様、キャノピーにあたる円形ゴムは少量の空気注入でもよい米字型空気道にした為、非常時に際し直ぐに準備が出来、又、４Ｆ〜５Ｆ程度の低層階からの降下も可能にし、ビル、マンション火災に際して、人命救助に大きく寄与出来る。
【発明を実施する為の最良の形態】
【０００６】  ベランダ側真下が駐車場になっているマンションの６Ｆ（地下高１６ｍ位）から、先ず小さい傘（直径１ｍ位）の市販の傘の骨部先端に紐を括り付け、５ｋｇ程度の錘を付け傘の柄に結んで傘地の向きが逆さにならない様にして開いた状態にして落としてみたら、着地時のスピードは、それでも半減以上の効果があった。直径１，５ｍ位の大きい傘で同様に試した所、更に着地時のスピードが減じられていた。市販傘の場合、あくまでも雨・太陽光対応用である為、重量が２０ｋｇ〜３０ｋｇになると空圧にて骨が壊れ、生地の結び目も解けて傘が壊れるので軽量の実験となった。そこで、本発明品にての人体実験となったが、当然、安全確保の為真下周辺に厚さにして１ｍ弱程度のウレタン・スポンジマットレスを敷き詰め実験をした所、想定通り意図する結果を得る事が出来た。只、低層階からの飛び降りでは、着地時の足の着き具合によっては、打撲や捻挫の可能性も否めない。又、あまり径を拡げ過ぎると、屋上からの飛び降りなら問題点も少ないが、ベランダや開き窓からの飛び降りでは開傘準備が厄介な面も残るので、開傘径を２ｍ程度に設定した。
【産業上の利用分野】
【０００７】  本発明品の構造特性により、段化式の硬質のチューブ等を３段〜４段にする事で気球やパラグライダーへの直接の気体の注入が可能となり、補助ケースを取り付け、充電及び強力電池等でのファンモーター取り付けにより、ヘリウムガス、水素の注入・排出が出来る様になり、空中遊泳中の上昇・下降が可能となり、誰でもが簡単に遊泳を楽しむ事が出来るし、使用時の準備、終了時の収納が実に簡単に出来るので、老若を問わず参加出来る。
【図面の簡単な説明】
【０００８】
【図１】ショルダーケースの断面図
【図２】ゴム地キャノピーの底面図
【図３】ショルダーケースの背面図
【符号の説明】
【０００９】１  ショルダーケース  ２  段化式蛇腹伸縮ゴム筒  ３  スプリング
４  硬質合成樹脂蓋  ５  １段目硬質チューブ管  ６  ２段目硬質チューブ管
７  ゴムパッキン  ８  半硬質チューブ管  ９  ゴムキャノピー
１０  空気道  １１  ゴムキャノピー空気注入口  １２  ゴムキャノピーロープ結束穴
１３  ケース部空気注入口  １４  ケース部空気排出口  １５  結束ロープ
１６  ケースロープ結束穴
【図１】
2010201127.tif 000003
【図２】
2010201127.tif 000004
【図３】
2010201127.tif 000005
(57)【要約】【課題】現在市販されている角質取りでは左足の外側部やカガトの裏側に向かって、刃を正確に直角に当てることは難しく、部分的に斜めに刃を入れすぎたり、深く刃を入れすぎたりして手足を傷つけてしまう嫌いがある。ヤスリタイプの角質取りでは凹凸の凹面部分には当たり難く、凸面では部分的に強くこすり付けるという欠点がある。【解決手段】梃子の原理を利用して、角質取りの刃が手や足の角質部分を感知して当たるように動く点を作用点（１）として、手で保持する筒（４）上の点、力点（６）に加えられた手の力が、筒の下で柄のもう一方の先端に設けたストッパー（５）を回転軸の支点（６）として自在に回転して直角に当たって止まる構造を持った角質取り【選択図】図１
2010201125.tif 000002
【特許請求の範囲】
【請求項１】
梃子の原理を利用して、角質取りの刃が手や足の角質部分を感知して当たるように動く点を作用点（１）として、手で保持する筒（４）上の点、力点（６）に加えられた手の力が、筒の下で自在に回転するように柄のもう一方の先端に設けたストッパー（５）を回転軸の支点（７）として、自在に回転して直角に当たって止まる構造を持った角質取り
【請求項２】
第１請求項記載の角質取り刃の部分に接し、異種の電極（８）を取り付け、体の一部に触れることによって電流（エレクトロン）が流れる工夫を施した請求項１記載の角質取り
【発明の詳細な説明】
【技術分野】
【０００１】ヤスリ製品【０００２】角質取り
【背景技術】
【０００３】現在市販されている角質取りでは左足の外側部やカガト裏側に向かって、刃やヤスリを正確に直角に当てることは難しく、部分的に斜めに刃を入りすぎたり、深く刃を入りすぎたりして傷つける可能性がある。
ヤスリ状の角質取りでは凹凸の凹面部分には当たり難く、凸面では部分的に強くこすり付けるという欠点がある。
【発明の概要】
【発明が解決しようとする課題】
【０００４】作用点となる角質に直角に常にあたれば、安全で、確実に力点の力が刃に伝わり角質を容易に除去できる。
【課題を解決するための手段】
【０００５】梃子の原理を利用して、角質取りの刃が手や足の角質部分を感知して当たるように動く点を作用点（１）として、手で保持する筒（４）上の点、力点（６）に加えられた手の力が筒（４）の下で自在に回転するように柄（２）のもう一方の先端部に設けたストッパー（５）を回転軸の支点（７）として、自在に回転して止まる構造を持った角質取り
【発明の効果】
【０００６】この発明によって、誰にでも簡単に、刃を安全かみそり以上に確実に直角に当てることができ、安全に角質やたこを除去できるようになった。
【発明を実施するための最良の形態】
【０００７】次のような実施例のような基本構造を持たせる。
【実施例】
【０００８】図１  回転自在角質取り  正面図
図２  回転自在角質取り  平面図
図３  梃子の原理を回転自在歯石取りに利用した発明の骨子を示す図
図４  請求項２記載の電極
【図面の簡単な説明】
【０００９】
【図１】回転自在角質取りの実施例  平面図
【図２】回転自在角質取りの実施例の正面図
【図３】梃子の原理を回転自在角質取りに利用した発明の骨子を示す図角質取りの刃が歯の表面に触れた時作用点となり、親指と人差し指で挟むこのくびれ部分が力点になり、前述の先端部がストッパーであり支点となる。この原理により確実に刃が角質部に常に直角に当たるようになる。
【図４】刃と電極を異種の金属用いることにより、人の電位を利用して体の一部の接触時電流（エレクトロン）が流れるようにした例を示す図
【符号の説明】
【００１０】１  刃の角質に当たる時の作用点となる箇所
２  刃の柄
３  刃の形状
４  筒
５  柄のストッパー
６  親指と人差し指で挟む部分で力点となる箇所
７  回転軸の支点
８  請求項２記載の電極
【図１】
2010201125.tif 000003
【図２】
2010201125.tif 000004
【図３】
2010201125.tif 000005
【図４】
2010201125.tif 000006
【手続補正書】
【提出日】平成21年9月16日(2009.9.16)
【手続補正１】
【補正対象書類名】明細書
【補正対象項目名】０００８
【補正方法】変更
【補正の内容】
【０００８】図１  回転自在角質取り  正面図
図２  回転自在角質取り  平面図
図３  梃の原理を回転自在角質取りに利用した発明の骨子を示す図
図４  請求項２記載の電極
【手続補正２】
【補正対象書類名】明細書
【補正対象項目名】０００９
【補正方法】変更
【補正の内容】
【０００９】
【図１】回転自在角質取りの実施例  平面図
【図２】回転自在角質取りの実施例  正面図
【図３】梃の原理を回転自在角質取りに利用した発明の骨子を示す図角質取りの刃が角質の表面に触れたところが作用点となり、手のひらで握られた筒部分が力点となり、前述の柄の先端部が支点となる。
【図４】刃と電極を異種の金属を用いることにより、人の電位を利用して角質部分に接触時、電流（エレクトロン）が流れるようにした例を示す図
(57)【要約】      （修正有）【課題】多くのサッカー愛好家は自分でもシュートやパスの練習をしたいと願っている。しかし、実際は場所的にも時間的にも制約があり、何時でも何処でも出来るものではない。狭い場所でもその球筋を見ながらスキルアップできる練習器を提供する。【解決手段】狭い部屋で数メートルしか飛ばず、その球筋を足でコントロールができる投てき装置が不可欠である。模擬シュート練習器で、足の甲４に発射装置１を固定して、その上に乗せた紙筒３等を標的に向け蹴飛ばす投てき玩具である。また、発射台２はその向きと角度が自在に変えられる可動式で、逆足に付けての使用も可能である。【選択図】図２
2010201129.tif 000002
【特許請求の範囲】
【請求項１】
ボールを蹴るスポーツ全般の模擬シュート練習具で、足の甲に乗せた紙筒等を標的に向け蹴飛ばす投てき玩具である。足の甲に発射装置を固定して、可動式の発射台の向きを定め、脚の蹴りで砲弾に相当する物体を飛ばす方式全般について
【請求項２】
上記請求項１に関連する小物用品、出版物、映像商品の全て、さらに、この考えを基にして作られたスポーツ練習具及びレジャー用玩具全般について
【発明の詳細な説明】
【技術分野】
【０００１】  この発明は、スポーツ練習具あるいは投てき玩具である。中でも主にサッカーなどボールを蹴るスポーツのシュートやパスの模擬練習具である。
【背景技術】
【０００２】  従来，サッカー等のシュートやパスの練習は実際のボールを蹴って行われ、広い場所が必要で、自宅等の狭い部屋でできるものではなかった。仮にビーチボールなど軽い球を蹴って練習したとしても、大きな騒音やぶつけられた標的の破損など問題も多く。何時でも何処でも出来るは存在しなかった。
【発明が解決しようとする課題】
【０００３】  多くのサッカー愛好家は自分でもシュートやパスの練習をしたいと願っている。しかし、実際は場所的にも時間的にも制約があり、何時でも何処でも出来るものではない。本発明はこの課題を解決するために、狭い場所でもその球筋を見ながらスキルアップできる練習器を提供しようというものである。
【課題を解決するための手段】
【０００４】  課題解決のためには、狭い部屋で数メートル程度しか飛ばず、その球筋を足でコントロールができる投てき装置が不可欠である。本発明は、その必要性を満たすための手段として、模擬シュート練習器を提供するものである。
【発明実施の形態】
【０００５】  室内シュート練習器の形態を図面１、及び図面２に示す。足の甲▲４▼に発射装置▲１▼を固定して、その上に乗せた紙筒▲３▼を標的に向け蹴飛ばす投てき玩具である。発射装置の足の甲への固定方法は多様で、靴を履く場合履かない場合いずれの場合も足の甲の部分に固定する。また、発射台▲２▼はその向きと角度が自在に変えられる可動式で、実際にボールが飛ぶ方向と同じ方向に調整できる。さらに、発射台の可動域が広いので、逆足に付けての使用も可能である。練習器の大きさは、子供用・大人用によって若干異なる。その発射装置▲１▼の支えになっている基台の広さは５ｃｍ四方程度で、発射台の長さは１０ｃｍ程度である。砲弾に相当する玉は多様であるが、主に紙筒を使う。その紙筒の長さ、太さ、重さは飛ばす距離や飛びの軌道等によって変えられる。
【発明の効果】
【０００６】  本発明は、狭い部屋でサッカーの多彩なシュートやパスの模擬的練習が、何時でも何処でもできる。それによって、球筋を目で確認しながら、微妙なコントロールのセンスを身に付けられる効果がある。また、練習用投てき玩具としても、レジャー用品として楽しめる効果がある。
【図面の簡単な説明】
【０００７】
【図１】本発明の装置面図（写真）
【図２】本発明の使用概念面図（写真）
【符号の説明】
【０００８】▲１▼発射装置（基台）    ▲２▼発射台    ▲３▼紙筒    ▲４▼足の甲
【図１】
2010201129.tif 000003
【図２】
2010201129.tif 000004
(57)【要約】【課題】健康促進や癒しが得られる履物として、より快適で効果が期待できる使い勝手の良い履物を提供する。【解決の手段】履物の足裏接触面の全面あるいは特定領域に、たわし状素材を敷き込んだ構造とする。【選択図】図１
2010201126.tif 000002
【特許請求の範囲】
【請求項１】
履物の足裏接触面の全面あるいは特定領域に、たわし状素材を敷き込んだ構造としたことを特徴とする履物。
【請求項２】
履物の足裏接触面の全面あるいは特定領域に、針状の素材を該足裏接触面に略垂直に移植したことを特徴とする履物。
【発明の詳細な説明】
【技術分野】
【０００１】  本発明は、健康促進に供することができる履物に関する。
【背景技術】
【０００２】  従来、健康促進に供することができる履物に関しては、足裏のツボ押しのための突起または凹凸を履物の足裏接触面に設けたものがあり、該突起または該凹凸の形状や大きさやその数あるいは該突起または該凹凸を形成する素材の硬さによっては、足裏に対して刺激が強すぎて痛みすら感じるものであった。【０００３】  また、該突起または該凹凸の履物の足裏接触面における配置によっては、うまくツボを刺激できないものもあった。
（例えば、特許文献１、特許文献２、特許文献３、特許文献４参照）
【先行技術文献】
【特許文献】
【０００４】
【特許文献１】登録実用新案公報第３０４２８６９号
【特許文献２】特開２００５−１１８４３７号公報
【特許文献３】特開平９−２６２１０５号公報
【特許文献４】特開昭６０−２５９２０１号公報
【発明の概要】
【発明が解決しようとする課題】
【０００５】  上記に述べたように、従来より健康促進に供することができる履物として、足裏のツボ押しのための突起あるいは凹凸を履物の足裏接触面に設けたものがあったが、その形状や大きさやその数あるいは素材の硬さによっては刺激が強すぎたり、配置によってはうまくツボを刺激できないなどの問題があった。【０００６】  本発明の目的は、足裏のツボをソフトに刺激でき、且つ、足裏のツボをはずすことなく微細領域まで刺激することのできる構造の健康促進のための履物を提供することである。
【課題を解決するための手段】
【０００７】  上記課題を解決するために、本発明においては、たわし状素材を該履物の足裏接触面の全面あるいは特定領域に敷き込んだ構造とすることである。【０００８】  あるいは、足裏のツボを刺激するための素材を針状に細くし、且つ、適度の剛性と柔軟性を持った素材とし、該素材を履物の足裏接触面に移植配置することである。【０００９】  即ち、履物の足裏接触面の全面あるいは特定領域に、該針状の素材を該履物の足裏接触面に略垂直に移植することである。
【発明の効果】
【００１０】  本発明によれば、本発明の履物を履くことにより、従来品のように過度の刺激による苦痛を受けたり、あるいはうまくツボに当たらないという問題をなくすことができ、ソフトに且つ的確に足裏のツボ位置を刺激することができるので、健康促進に供することができるとともに、足裏のマッサージ効果による癒し効果も期待できる。
【図面の簡単な説明】
【００１１】
【図１】本発明の第１の実施例のスリッパの平面図である。
【図２】本発明の第１の実施例のスリッパの側面図である。
【図３】本発明の第１の実施例のスリッパのＡ−Ａ断面図である。
【図４】本発明の第１の実施例のスリッパの甲皮構造を示すために甲皮を展開した状態の平面図ある。
【図５】本発明の第２の実施例のスリッパの長手方向断面図である。
【図６】たわし状素材の一例の斜視図である。
【図７】本発明の他の実施例である草履タイプの斜視図である。
【発明を実施するための形態】
【００１２】  発明を実施するための形態を次の実施例で説明する。
【実施例１】
【００１３】  本発明の第１の実施例は，スリッパの足裏接触面全面にわたり、たわし状素材を敷き込んだものである。
【実施例２】
【００１４】  本発明の第２の実施例は，針状の素材をスリッパの足裏接触面全面に略垂直に移植したものである。【００１５】  尚、前記において、スリッパと記述したが、本発明が適用できる履物であれば、その種類を問わない。【００１６】  また、前記において、スリッパの足裏接触面全面と記述したが、全面ではなく必要な領域のみに施設する方法も当然のことながら含まれる。【００１７】  また、サンダルの形状は上記における形状に拘ることなく、特に甲皮に関しては、足に密着させるための方法が種々考えられ、第１の実施例はその一例である。【００１８】  また、前記において、たわし状素材と記述したが、たわし状素材を構成する繊維素材としては、植物の棕櫚由来の繊維あるいは化学繊維をはじめとして、適度の剛性と柔軟性を持った素材であればその種類は問わない。【００１９】  また、針状の素材とは、植物の棕櫚由来の繊維あるいは化学繊維をはじめとして、適度の剛性と柔軟性を持った素材であればその種類は問わない。【００２０】  さらに、針状の素材の移植後の自由部分の長さは使用する素材の種類によって、剛性と柔軟性が維持され、足裏を適度に刺激できる長さに設定すればよい。【００２１】  また、針状の素材が植物の棕櫚由来の繊維以外の場合、その太さならびに長さ方向の形状および先端形状については、素材の物理的特性により調整して決定すればよい。【００２２】  さらに、移植方法としては、素材１本１本を独立して植え込んでもよく、数本束ねて植え込んでもよい。【００２３】  また、前記たわし状素材とは、いわゆるかめの子たわしを構成する素材、即ち、針状の素材を針金などで逐次束ねて房状に形成したものである。【００２４】  尚、前記たわし状素材の履物底部への装着方法については、履物の種類にあわせて、交換や洗浄を考慮して、通常考えられる方法を適宜採用すればよく、一例としては目の粗いネットを被せるなどが考えられる。
【産業上の利用の可能性】
【００２５】  現代においては、健康促進志向が強く、また日常生活の疲れを癒す、癒し志向も強いので、これらに対応する履物として、本発明は健康スリッパとしての需要が期待できる。
【符号の説明】１  スリッパ
２  たわし状素材
３  甲皮
４  面ファスナー
５  針状の素材
【図１】
2010201126.tif 000003
【図２】
2010201126.tif 000004
【図３】
2010201126.tif 000005
【図４】
2010201126.tif 000006
【図５】
2010201126.tif 000007
【図６】
2010201126.tif 000008
【図７】
2010201126.tif 000009
(57)【要約】【課題】  「生理」という用語は女性のための言葉のようになっている感があり、「生理用品」といえばなおさらであるが、男性の生理、生殖機能である精子放出の行為ののち、数分間から数十分間陰茎部に精液及びその付随物が残存し、直ちに下着を着用すると下着の汚れ、また、陰部と下着が粘着し始末が悪いといった経験の男性諸氏も多いはず。本発明は以上の問題点を解決するものである。【解決手段】  男性用避妊具（コンドーム）の先端部を二回りほどサイズアップし、その先端部の内壁に吸収性素材を数ミリの厚さで覆い、コンドーム陰茎部がカットされた形状で、開口部に傾斜をつけた弾性体リングを設け、装着中の脱落防止のため、粘着シール部を付随し、開口部のリング体と紐（糸）で連結し、下着に粘着固定させることを特徴とする男性用生理用品。【選択図】図１
2010201137.tif 000002
【特許請求の範囲】
【請求項１】
男性用避妊具（コンドーム）の先端部を二回りほどサイズアップし、その先端部の内壁に吸収性素材を数ミリの厚さで覆い、コンドーム陰茎部がカットされた形状で、開口部に傾斜をつけた弾性体リングを設け、装着中の脱落防止のため、粘着シール部を付随し、開口部のリング体と紐（糸）で連結し、下着に粘着固定させることを特徴とする男性用生理用品。
【発明の詳細な説明】
【技術分野】
【０００１】  本発明は、男性の生理機能である射精の直後の後始末に、有れば便利な男性用生理用品に関するものである。
【背景技術】
【０００２】  電子図書館（ＩＰＤＬ）において、この種の特許に関する出願は無し。
【発明の開示】
【発明を解決しようとする課題】
【０００３】  「生理」という用語は女性のための言葉のようになっている感があり、「生理用品」といえばなおさらであるが、男性の生理、生殖機能である性行為ののち、数分間から数十分間陰茎部に精液及びその付随物が残存し、直ちに下着を着用すると、下着の汚れ、また、陰部と下着が粘着し始末が悪いといった経験の男性諸氏も多いはず。
本発明は以上の問題点を解決するものである。
【課題を解決するための手段】
【０００４】  男性用避妊具（コンドーム）の先端部を二回りほどサイズアップし、その先端部の内壁に吸収性素材を数ミリの厚さで覆い、コンドーム陰茎部がカットされた形状で、開口部に傾斜をつけた弾性体リングを設け、装着中の脱落防止のため、粘着シール部を付随し、開口部のリング体と紐（糸）で連結し、下着に粘着固定させる。
以上を特徴とする男性用生理用品である。
【発明の効果】
【０００５】  男性の生理、生殖機能である性行為ののち、数分間から数十分間陰茎部に精液及びその付随物が残存し、直ちに下着を着用すると、下着の汚れ、また、陰部と下着が粘着し始末が悪いといった男性諸氏の不快感を解消できる。
【発明を実施するための最良の形態】
【０００６】  本製品は５つの部位、機能で構成される。
本体（１）は、男性用避妊具（コンドーム）同様、薄型ゴム状又はそれに類する素材製、一端は閉じ、もう一端は開口する筒型、形状は白熱電球様のものが適している
吸収性素材（２）は、上記筒型閉口側、膨れた側の内部、内壁に厚さ数ミリに覆い施す。なお、吸収性素材は、男性の性行為の後の性器内部にしばらく残存する精液及びそれに付随する物質を吸収し、かつ、性器亀頭部皮膚に粘着しない素材。
弾性体リング（３）は、筒状開口部に傾斜をつけ、性器亀頭部と陰茎部との段差にフィットする形状で本体（１）と一体となる。
紐（糸）（４）は、本体（１）で剛性の高い部位である弾性体リング（３）と粘着質シール（５）を接続させる１５ｃｍ程度の長さのもの。
粘着性シール（５）は、本体（１）、弾性体リング（３）を紐（糸）（４）を介して接続させ、下着に粘着固定させる。また、本体（１）のずれ落ちに耐えうる粘着力が必要とされる。
本発明を使用するときは、男性用避妊具（コンドーム）の使用と同様に陰部亀頭部へ覆いかぶせるように差し込み、陰部亀頭部から陰茎部へ続くところの段差（凹み部）に陰部の血行阻害を起こさせることなくなく配慮した弾性体リングをはめ込むことにより、本製品を固定させる。また、本製品装着中の脱着はあっても、落下は防止させるため、粘着性シールを下着に粘着固定させる。
【図面の簡単な説明】
【０００７】
【図１】本発明の斜視図
【図２】本発明の使用状態を示す断面図
【符号の説明】
【０００８】    （１）本体    （２）吸収性素材    （３）弾性体リング    （４）紐（糸）
（５）粘着性シール
【図１】
2010201137.tif 000003
【図２】
2010201137.tif 000004